(57)【要約】【課題】クランプのコッターピンやセムシピンの挿入時の不具合及び未挿入を防止する楔型引留クランプを提供する。【解決手段】クランプ本体１０と、配電線５０を把持してクランプ本体１０に把持される楔２０と、電柱７０に取付けられた碍子６０とクランプ本体１０とを接続するコッターピン３０と、コッターピン３０を固定するセムシピン３４とを有し、クランプ本体１０は、コッターピン３０により碍子６０に接続されるための一対のコッター部１２と、楔２０の移動を規制する楔移動規制バネ４０と、楔移動規制バネ４０の一端が嵌る楔溝２２とを有する。【選択図】      図１
2013110796.tif 000002
【特許請求の範囲】
【請求項１】
電柱に取付けられた碍子の接続孔に接続されて配電線を引留める楔型引留クランプであって、
クランプ本体と、前記配電線を把持して前記クランプ本体に把持される楔と、前記電柱に取付けられた碍子と前記クランプ本体とを接続するコッターピンと、前記コッターピンを固定するセムシピンとを有し、
前記クランプ本体は、前記コッターピンにより前記碍子に接続されるための一対のコッター部と、前記楔の移動を規制する楔移動規制バネと、前記楔移動規制バネの一端が嵌る楔溝とを有し、
前記一対のコッター部は、前記コッターピンが貫通するコッターピン貫通孔を有し、
前記コッターピンは、一端に前記セムシピンが取付けられるセムシピン取付け穴と、他端に前記コッターピンが前記コッター部に係止されるバネ性のコッターピン係止具とを有し、
前記楔移動規制バネの一端は、前記楔溝に嵌り前記楔の移動を規制し、他端は、前記一対のコッター部の、前記コッターピン係止具が取付けられていない側の前記コッターピン貫通孔を塞ぐように配置されることを特徴とする楔型引留クランプ。
【請求項２】
前記楔移動規制バネの前記他端は、前記バネ性のコッターピン係止具により前記コッターピンを前記一対のコッター部の前記コッターピン貫通孔内に保持しており、前記コッターピンが、前記コッターピン係止具側においてコッターピン貫通孔から引抜かれ、続いて、前記コッターピンが、位置合わせされた前記碍子の接続孔と前記一対のコッター部のコッターピン貫通孔とを貫通して前記碍子と前記クランプ本体とを接続し、且つ、前記コッターピン貫通孔を塞いでいる前記楔移動規制バネの他端を押し出し、前記セムシピンが前記セムシピン取付け孔に挿入されて固定されない限り、前記楔移動規制バネの一端は、前記楔溝から外れることはなく、前記楔の移動の規制は解除されないことを特徴とする請求項１に記載の楔型引留クランプ。
【発明の詳細な説明】
【技術分野】
【０００１】
本発明は、配電線を電柱に引留める楔型引留クランプに係り、より詳しくは、クランプのコッターピンやセムシピンの挿入時の不具合及び未挿入を防止する楔型引留クランプに関する。
【背景技術】
【０００２】
図３は、従来の楔型引留クランプの取付け工程図である。図３ａにおいて、楔型引留クランプ取付け専用工具である金車（カムラー）８０の一方に配電線５０が把持され、他方にクランプ本体１０が取付けられ、クランプのコッター部１２と、電柱７０に取付けられた碍子６０とが、コッターピンとセムシピン（図示せず）により接続される。
【０００３】
図３ｂにおいて、カムラー８０により、配電線５０が所定の張力となるまで、引き寄せられ、楔２０が配電線５０を把持した状態で、クランプ本体１０に挿入される。図３ｃにおいて、カムラー８０が取り外されると、楔２０は、配電線５０をより強く把持しながらクランプ本体１０に押し込まれ、楔型引留クランプの取付けが完了する。
【０００４】
この時、図３ａにおいて、コッターピンとセムシピンの挿入時において、何らかの原因で不具合又は未挿入があった場合、コッター部１２と碍子６０とが完全な状態で固定されていないため、図３ｂにおいて、カムラー８０が取り外されると、配電線５０の張力がクランプ本体１０に強く加わり、コッターピンとセムシピンとが抜け落ち、クランプ本体１０が脱落し、配電線５０やクランプ本体１０が作業者に危害を加える事態が発生する。
【０００５】
特許文献１には、クランプは、本体が断面Ｕ字形で、楔押え体を介して楔を押込み、楔とクランプ本体間に電線を把持し、楔は、センター孔を有する平板状体で、クランプ本体内に挿入可能な板厚の周囲側面を有し、周囲側面は、電線長さ方向の長平面状の押さえ面とその他の外側面とからなり、楔押さえ体の外側面に設けられた螺子孔と螺合する螺合手段を備える、旨の記載がある。
【先行技術文献】
【特許文献】
【０００６】
【特許文献１】特開２００５−１６８２１９号公報
【発明の概要】
【発明が解決しようとする課題】
【０００７】
本発明は、このような問題を解決するためになされたものであり、その目的は、クランプのコッターピンやセムシピンの挿入時の不具合及び未挿入を防止する楔型引留クランプを提供する。
【課題を解決するための手段】
【０００８】
本発明の楔型引留クランプは、電柱に取付けられた碍子の接続孔に接続されて配電線を引留める楔型引留クランプであって、クランプ本体と、配電線を把持してクランプ本体に把持される楔と、電柱に取付けられた碍子とクランプ本体とを接続するコッターピンと、コッターピンを固定するセムシピンとを有し、クランプ本体は、コッターピンにより碍子に接続されるための一対のコッター部と、楔の移動を規制する楔移動規制バネと、楔移動規制バネの一端が嵌る楔溝とを有し、一対のコッター部は、コッターピンが貫通するコッターピン貫通孔を有し、コッターピンは、一端にセムシピンが取付けられるセムシピン取付け穴と、他端にコッターピンがコッター部に係止されるバネ性のコッターピン係止具とを有し、楔移動規制バネの一端は、楔溝に嵌り楔の移動を規制し、他端は、一対のコッター部の、コッターピン係止具が取付けられていない側のコッターピン貫通孔を塞ぐように配置されることを特徴とする。
【０００９】
本発明の楔型引留クランプの楔移動規制バネの上記他端は、バネ性のコッターピン係止具によりコッターピンを一対のコッター部のコッターピン貫通孔内に保持しており、コッターピンが、コッターピン係止具側においてコッターピン貫通孔から引抜かれ、続いて、コッターピンが、位置合わせされた碍子の接続孔と一対のコッター部のコッターピン貫通孔とを貫通して碍子とクランプ本体とを接続し、且つ、コッターピン貫通孔を塞いでいる楔移動規制バネの他端を押し出し、セムシピンがセムシピン取付け孔に挿入されて固定されない限り、楔移動規制バネの上記一端は、楔溝から外れることはなく、楔の移動の規制は解除されないことを特徴とする。
【発明の効果】
【００１０】
本発明によれば、クランプのコッターピンやセムシピンの挿入時の不具合及び未挿入を防止する楔型引留クランプを提供することができる。
【図面の簡単な説明】
【００１１】
【図１】本発明による楔型引留クランプのセムシピン未挿入時の構成図
【図２】本発明によるクランプ本体のセムシピン挿入時の構成図
【図３】従来の楔型引留クランプの取付け工程図
【発明を実施するための形態】
【実施例】
【００１２】
本発明の実施の形態について、図を用いて説明する。図１は、本発明による楔型引留クランプのセムシピン未挿入時の構成図である。図１ａ、図１ｂにおいて、本発明の楔型引留クランプ１００は、クランプ本体１０と、配電線５０（図３参照）を把持してクランプ本体１０に把持される楔２０と、電柱７０に取付けられた碍子６０とクランプ本体１０とを接続するコッターピン３０と、コッターピン３０を固定するセムシピン３２（図２参照）とを有している。
【００１３】
クランプ本体１０は、コッターピン３０により碍子６０に接続されるための一対のコッター部１２と、楔２０の移動を規制する楔移動規制バネ４０と、楔移動規制バネ４０の一端が嵌る楔溝２２とを有している。一対のコッター部１２は、コッターピン３０が貫通するコッターピン貫通孔１４を有し、コッターピン３０は、一端にセムシピン３４が取付けられるセムシピン取付け穴３２と、他端にコッターピン３０がコッター部１２に係止されるバネ性のコッターピン係止具４２とを有している。
【００１４】
この構成において、楔移動規制バネ４０の一端は、楔溝に嵌り、楔が移動しないように規制している。また、楔移動規制バネ４０の他端は、一対のコッター部１２の、コッターピン係止具４２が取付けられていない側のコッターピン貫通孔を塞ぐように配置されている。これにより、コッターピン３０は、楔移動規制バネ４０の他端とバネ性のコッターピン係止具４２とにより、一対のコッター部１２のコッターピン貫通孔１４内に保持されている。
【００１５】
図２は、本発明によるクランプ本体のセムシピン挿入時の構造図である。図２ａ、図２ｂにおいて、コッターピン３０が、コッターピン係止具４２側から引抜かれて、コッターピン貫通孔１４から外され、碍子６０の接続孔と一対のコッター部１２のコッターピン貫通孔１４とが位置合わせされた後、再びコッターピン３０が、これらの孔を貫通して碍子６０（図３参照）とクランプ本体１０とを接続し、セムシピン３４が、セムシピン取付け孔３２に挿入されて固定される。
【００１６】
これにより、碍子６０とクランプ本体１０と完全に接続され、且つ、コッターピン３０が、コッターピン貫通孔１４を塞いでいる楔移動規制バネ４０の他端を押し出されることにより、楔移動規制バネ４０の一端が楔溝２２から外され、楔２０の移動の規制が解除され矢印の方向に移動が可能となる。この場合、図３ａの状態が完了して、楔２０の移動の規制が解除された状態になるため、図３ｂの作業へと安全に移行することがきる。コッターピン３０とセムシピン３４が不完全に挿入されるか、挿入することを忘れた場合、楔移動規制バネ４０のバネ性によって楔移動規制バネ４０の一端が楔溝２２の元の位置に戻り、楔２０の移動を再び規制するため、図３ｂの作業工程に移ることができない。これにより、コッターピン３０やセムシピン３４の挿入時の不具合又は未挿入が発見され、作業の安全を確保することができる。
【００１７】
以上説明したように本発明によれば、クランプのコッターピンやセムシピンの挿入時の不具合及び未挿入を防止する楔型引留クランプを提供することができる。
【符号の説明】
【００１８】
１０  クランプ本体
１２  コッター部
１４  コッターピン貫通穴
２０  楔
２２  楔溝
３０  コッターピン
３２  セムシピン取付け穴
３４  セムシピン
４０  楔移動規制バネ
４２  コッターピン係止具
５０  配電線
６０  碍子
７０  電柱
８０  金車（カムラー）
１００  本発明の楔型引留クランプ
【図１】
2013110796.tif 000003
【図２】
2013110796.tif 000004
【図３】
2013110796.tif 000005